(57)【要約】【課題】効率の良い番組選択及び調査を行うことが可能な電子番組表表示装置及びディジタル放送受信装置の提供。【解決手段】電子番組表表示装置は、チューナ部１０と、番組情報デコード部１１と、番組情報蓄積部１４と、制御部１５と、表示部１３とを具備する。制御部１５が、希望のチャンネルを選択させるために、番組が放送されている複数のチャンネルのチャンネル番号を並べた一覧の電子番組表を表示部１３の表示画面１３ａの第１の表示領域に表示させる。制御部１５が、番組情報として電子番組表から選択したチャンネルのチャンネル番号，そのチャンネルのロゴ及び現在そのチャンネルで放送されている番組に関する詳細な情報を並べて表示部１３の表示画面１３ａ上の第２の表示領域に表示させる。【選択図】        図２
2004363885.tif 000002
【特許請求の範囲】
【請求項１】
ディジタル放送の番組情報に基づいて生成した電子番組表を表示する電子番組表表示装置であって、
番組の前記ディジタル放送を受信するディジタル放送受信手段と、前記ディジタル放送受信手段で受信された前記ディジタル放送の番組情報をデコードする番組情報デコード手段と、前記番組情報デコード手段でデコードされた前記番組情報を蓄積する番組情報蓄積手段と、前記番組情報蓄積手段から必要な前記番組情報を取出す制御手段と、前記制御手段で前記番組情報蓄積手段から取出した前記番組情報を表示する表示手段とを具備し、前記制御手段は、希望のチャンネルを選択させるために、番組が放送されている複数のチャンネルのチャンネル番号を並べた一覧の電子番組表を前記表示手段の表示画面上の第１の表示領域に表示させる機能と、前記電子番組表から選択したチャンネルのチャンネル番号，そのチャンネルのロゴ及び現在そのチャンネルで放送されている番組に関する詳細な情報を並べて前記表示手段の表示画面上の第２の表示領域に表示させる機能とを備えたことを特徴とする電子番組表表示装置。
【請求項２】
さらに、それぞれのチャンネルで現在放送されている番組に関するジャンルの情報に対応した色やマークなどの識別表示情報を、上記表示手段の表示画面上の第１の表示領域に一覧で並べて表示された上記電子番組表のチャンネルに対して付加する識別表示情報付加手段を具備している請求項１に記載の電子番組表表示装置。
【請求項３】
上記制御手段は、使用者の指示によって、表示されている番組に関する詳細な情報を、そのチャンネルで放送されている番組の次、若しくは前に放送される番組に関する詳細な情報に書き換えて上記表示手段の表示画面上の第２の表示領域に表示させる機能を備えている請求項１または２に記載の番組情報表示装置。
【請求項４】
上記制御手段は、使用者の指示によって、表示する番組情報を現在の時刻ではなく前記使用者の希望する時刻に変更して、その時刻に放送されるであろう番組に関する詳細な情報を上記表示手段の表示画面上の第２の表示領域に表示させる機能を備えている請求項１乃至３のいずれかに記載の電子番組表表示装置。
【請求項５】
上記制御手段は、使用者の指示によって、表示する番組情報を現在の時刻ではなく前記使用者の希望する時刻に変更して、その時刻にそれぞれのチャンネルで放送されている番組に関するジャンルの情報に対応した色やマークなどの識別表示情報を、上記識別表示情報付加手段により、上記表示手段の表示画面上の第１の表示領域に一覧で並べて表示された上記電子番組表のチャンネルに対して付加する機能を備えている請求項１乃至４のいずれかに記載の電子番組表表示装置。
【請求項６】
上記制御手段は、使用者が上記電子番組表から選択したチャンネルの番組に関する詳細な情報を上記表示手段の表示画面上の第２の表示領域に表示させる機能と、そのチャンネルで放送される番組に関する詳細な情報を時系列に並べてそのチャンネルのみの番組表を前記表示手段の表示画面上の第２の表示領域に表示させる機能とを備えている請求項１乃至５のいずれかに記載の電子番組表表示装置。
【請求項７】
請求項１乃至６のいずれか１つに記載の電子番組表表示装置を備えたことを特徴とするディジタル放送受信装置。
【発明の詳細な説明】
【０００１】
【発明の属する技術分野】
本発明は、ディジタル放送における番組情報に基づいて生成した電子番組表を表示するための電子番組表表示装置及びこの表示装置を備えたテレビジョン受信機などのディジタル放送受信装置に関する。
【０００２】
【従来の技術】
チャンネルを選択させるために、放送されているチャンネル番号又はチャンネル番号に併せてそのチャンネルのロゴを画面上に並べて表示するためのディジタル放送受信機及び電子番組表表示装置に関し、以下のような従来例がある。
【０００３】
特許文献１によれば、チャンネル選択画面にてチャンネル表示に併せてチャンネルの契約状態を付加して表示することで、視聴できないチャンネルをあらかじめわかるようにする技術が記載されている。
【０００４】
また、通常、電子番組表（ＥＰＧ；Ｅｌｅｃｔｒｏｎｉｃ  Ｐｒｏｇｒａｍ  Ｇｕｉｄｅ）といわれるものは、新聞などに載っているテレビ欄のように放送局と時刻という２つの軸の中に表示されるものが使われている。
【０００５】
【特許文献１】
特開平１０−１７４０７６号公報
【０００６】
【発明が解決しようとする課題】
しかしながら、上述した特許文献１のように、視聴できないチャンネルを表示するのみでは、そのチャンネルで放送されている番組が使用者の望む番組を放送しているか判断することが困難であるという問題を有している。
【０００７】
また、番組情報を電子番組表として、テレビジョン受信機などのテレビ画面に表示する際には、表示領域の関係から多くのチャンネルを表示することができずに、目的のチャンネルを調べるためには、放送局の軸方向に電子番組表を移動させるなどで表示チャンネルまで進めなければならず、目的のチャンネルで放送されている番組を調べることが容易ではないという問題を有している。
【０００８】
本発明は、そのような状況に鑑みてなされたもので、受信可能な複数のチャンネルを表示手段の表示画面上の第１の表示領域に一覧で縦横に並べて表示させることにより、目的のチャンネルまで容易に移動でき、使用者が簡単な操作により、迅速に希望の番組を探し出すために、多くのチャンネルから希望の番組情報を効率的に表示手段の表示画面上の第２の表示領域に表示させることができ、使用者の望むチャンネルでどのような番組が放送されるのかを表示することで、効率の良い番組選択及び調査を行うことができる電子番組表表示装置及びディジタル放送受信装置を提供することを目的とする。
【０００９】
【課題を解決するための手段】
本発明はこうした課題を解決するための手段を提供するもので、各請求項の発明は、以下の技術手段を構成する。
上記目的を達成するために、本発明の電子番組表表示装置は、ディジタル放送の番組情報に基づいて生成した電子番組表を表示する電子番組表表示装置であって、番組の前記ディジタル放送を受信するディジタル放送受信手段と、前記ディジタル放送受信手段で受信された前記ディジタル放送の番組情報をデコードする番組情報デコード手段と、前記番組情報デコード手段でデコードされた前記番組情報を蓄積する番組情報蓄積手段と、前記番組情報蓄積手段から必要な前記番組情報を取出す制御手段と、前記制御手段で前記番組情報蓄積手段から取出した前記番組情報を表示する表示手段とを具備し、前記制御手段が、希望のチャンネルを選択させるために、番組が放送されている複数のチャンネルのチャンネル番号を並べた一覧の電子番組表を前記表示手段の表示画面上の第１の表示領域に表示させる機能と、前記電子番組表から選択したチャンネルのチャンネル番号，そのチャンネルのロゴ及び現在そのチャンネルで放送されている番組に関する詳細な情報を並べて前記表示手段の表示画面上の第２の表示領域に表示させる機能とを備えたことを特徴とする構成を有するものである。
【００１０】
上記に記載の本発明の電子番組表表示装置においては、表示手段の表示画面上に並べて表示したチャンネルを使用者が選択することにより、現在そのチャンネルで放送されている番組情報を表示手段の表示画面上に表示することで、現在放送中の目的の番組を探しやすくしている。
上記に記載の本発明の電子番組表表示装置によれば、少ないカーソル移動で使用者の望むチャンネルにおいて、どのような番組が現在放送されているかを提示することにより、効率の良いチャンネル選択を行うことが可能となる。
【００１１】
本発明の電子番組表表示装置は、さらに、それぞれのチャンネルで現在放送されている番組に関するジャンルの情報に対応した色やマークなどの識別表示情報を、上記表示手段の表示画面上の第１の表示領域に一覧で並べて表示された上記電子番組表のチャンネルに対して付加する識別表示情報付加手段を具備している。
【００１２】
上記に記載の本発明の電子番組表表示装置においては、チャンネルの一覧性を高くして、使用者がチャンネルを選択しやすくしている。
上記に記載の本発明の電子番組表表示装置によれば、直接カーソルをそのチャンネルまで移動することなく、どのようなジャンルの番組が現在放送されているのかが一覧でわかるため、効率の良いチャンネル選択をすることが可能となる。
【００１３】
本発明の電子番組表表示装置は、上記制御手段が、使用者の指示によって、表示されている番組に関する詳細な情報を、そのチャンネルで放送されている番組の次、若しくは前に放送される番組に関する詳細な情報に書き換えて上記表示手段の表示画面上の第２の表示領域に表示させる機能を備えている。
【００１４】
上記に記載の本発明の電子番組表表示装置においては、使用者の操作によって、表示されている番組の次（もしくは前）に放送される番組の情報に書き換えて表示することで、そのチャンネルにおいての番組の放送スケジュールを調べられるようにしている。
上記に記載の本発明の電子番組表表示装置によれば、現在以降の番組についての情報を見ることができるため、現在の番組が終了時間間近であっても次に放送される番組がわかり、また、そのチャンネルで続いてどのような番組が放送されるかを調べることができるため、少ない操作で複数のチャンネルでの放送予定を調べることを容易にすることが可能となる。
【００１５】
本発明の電子番組表表示装置は、上記制御手段が、使用者の指示によって、表示する番組情報を現在の時刻ではなく前記使用者の希望する時刻に変更して、その時刻に放送されるであろう番組に関する詳細な情報を上記表示手段の表示画面上の第２の表示領域に表示させる機能を備えている。
【００１６】
上記に記載の本発明の電子番組表表示装置においては、表示する情報を現在ではなく、使用者の操作によって、使用者の望む時刻に変更して、その時刻に放送されるであろう番組情報を表示することにより、使用者が望む時刻に放送される番組の情報を表示するようにしてある。
上記に記載の本発明の電子番組表表示装置によれば、使用者の確認したい時刻におけるそのチャンネルの放送内容が確認でき、他のチャンネルを確認する場面においても、使用者がチャンネルを移動させるだけで、同様にその時刻での放送内容が表示されるため、純粋に確認したい時刻に放送される番組についての情報を調べることを容易にすることが可能となる。
【００１７】
本発明の電子番組表表示装置は、上記制御手段が、使用者の指示によって、表示する番組情報を現在の時刻ではなく前記使用者の希望する時刻に変更して、その時刻にそれぞれのチャンネルで放送されている番組に関するジャンルの情報に対応した色やマークなどの識別表示情報を、上記識別表示情報付加手段により、上記表示手段の表示画面上の第１の表示領域に一覧で並べて表示された上記電子番組表のチャンネルに対して付加する機能を備えている。
【００１８】
上記に記載の本発明の電子番組表表示装置においては、使用者の操作によって、表示する情報を現在ではなく使用者の望む時刻に変更して、それぞれのチャンネルにおいてその時刻に放送されている番組の情報に対応した色やマークを表示手段の表示画面上に並べたチャンネルに対して付加することで、チャンネルの一覧性を高くして、使用者が現在以外の時間でも調べたいチャンネルを探し出すことを容易に行えるようにしている。
上記に記載の本発明の電子番組表表示装置によれば、使用者の確認したい時刻へ移動した時に、ジャンルなどの色分けをその時刻に放送される番組に対して行うことで、どのような番組が放送されるかを一覧で調べることが可能になるため、いちいちそのチャンネルにカーソルを移動させなくても直感的にどのような番組が行われているかを調べることを容易にすることが可能となる。
【００１９】
本発明の電子番組表表示装置は、上記制御手段が、使用者が上記電子番組表から選択したチャンネルの番組に関する詳細な情報を上記表示手段の表示画面上の第２の表示領域に表示させる機能と、そのチャンネルで放送される番組に関する詳細な情報を時系列に並べてそのチャンネルのみの番組表を前記表示手段の表示画面上の第２の表示領域に表示させる機能とを備えている。
【００２０】
上記に記載の本発明の電子番組表表示装置においては、使用者が選択したチャンネルの番組情報を表示すると共に、表示手段の表示画面上にそのチャンネルの放送する番組の情報を時系列に並べてそのチャンネルのみの番組表を表示することで、多数のチャンネルから使用者の希望するチャンネルの番組表をすばやく表示するようにしてある。
上記に記載の本発明の電子番組表表示装置によれば、使用者の確認したいチャンネルのみの放送予定が一覧できるため、複数のチャンネルについての放送予定を調べる時に、少ない手順で番組の放送予定を調べることが可能となる。
【００２１】
本発明のディジタル放送受信装置は、上記に記載の電子番組表表示装置を備えたことを特徴とする構成を有するものである。
【００２２】
【発明の実施の形態】
以下、本発明の実施形態について図面を参照しながら詳細に説明する。
図１は、本発明に係る一実施形態の電子番組表表示装置の構成を示す機能ブロック図である。
本発明の電子番組表表示装置は、ディジタル放送の番組情報に基づいて生成した電子番組表を表示する装置である。
【００２３】
本発明の電子番組表表示装置は、番組のディジタル放送を受信するディジタル放送受信手段であるチューナ部１０と、チューナ部１０で受信されたディジタル放送の番組情報をデコードする番組情報デコード手段である番組情報デコード部１１と、番組情報デコード部１１でデコードされた番組情報を蓄積する番組情報蓄積手段である番組情報蓄積部１４と、番組情報蓄積部１４から必要な番組情報を取出す制御手段である制御部１５と、制御部１５で番組情報蓄積部１４から取出した番組情報を表示する表示手段である表示部１３とを具備し、制御部１５が、希望のチャンネルを選択させるために、番組が放送されている複数のチャンネルのチャンネル番号を並べた一覧の電子番組表を表示部１３の表示画面１３ａの第１の表示領域に表示させる機能と、電子番組表から選択したチャンネルのチャンネル番号，そのチャンネルのロゴ及び現在そのチャンネルで放送されている番組に関する詳細な情報を並べて表示部１３の表示画面１３ａ上の第２の表示領域に表示させる機能とを備えている。
【００２４】
本発明の電子番組表表示装置は、さらに、それぞれのチャンネルで現在放送されている番組に関するジャンルの情報に対応した色やマークなどの識別表示情報を、表示部１３の表示画面１３ａ上の第１の表示領域に一覧で並べて表示された電子番組表のチャンネルに対して付加する識別表示情報付加手段であるＯＳＤ（Ｏｎ  Ｓｃｒｅｅｎ  Ｄｉｓｐｌａｙ；オンスクリーンディスプレイ）作成部１６を具備している。
【００２５】
本発明の電子番組表表示装置は、制御部１５が、使用者の指示によって、表示されている番組に関する詳細な情報を、そのチャンネルで放送されている番組の次、若しくは前に放送される番組に関する詳細な情報に書き換えて表示部１３の表示画面１３ａ上の第２の表示領域に表示させる機能を備えている。
【００２６】
本発明の電子番組表表示装置は、制御部１５が、使用者の指示によって、表示する番組情報を現在の時刻ではなく使用者の希望する時刻に変更して、その時刻に放送されるであろう番組に関する詳細な情報を表示部１３の表示画面１３ａ上の第２の表示領域に表示させる機能を備えている。
【００２７】
本発明の電子番組表表示装置は、制御部１５が、使用者の指示によって、表示する番組情報を現在の時刻ではなく使用者の希望する時刻に変更して、その時刻にそれぞれのチャンネルで放送されている番組に関するジャンルの情報に対応した色やマークなどの識別表示情報を、ＯＳＤ作成部１６により、表示部１３の表示画面１３ａ上の第１の表示領域に一覧で並べて表示された電子番組表のチャンネルに対して付加する機能を備えている。
【００２８】
本発明の電子番組表表示装置は、制御部１５が、使用者が電子番組表から選択したチャンネルの番組に関する詳細な情報を表示部１３の表示画面１３ａ上の第２の表示領域に表示させる機能と、そのチャンネルで放送される番組に関する詳細な情報を時系列に並べてそのチャンネルのみの番組表を表示部１３の表示画面１３ａ上の第２の表示領域に表示させる機能とを備えている。
【００２９】
本発明のディジタル放送受信装置は、上記に記載の電子番組表表示装置を備えている。
【００３０】
本発明による電子番組表表示装置の実施形態の一例を図１乃至図８に基づいて以下に説明する。
ここで、図２は、本発明に係る実施形態の電子番組表表示装置による番組情報の画面表示例を示す説明図であり、図３は、本発明に係る実施形態の電子番組表表示装置による番組情報の画面表示における動作態様を説明するフローチャートである。
また、図４乃至図８は、本発明に係る実施形態の電子番組表表示装置による番組情報の他の画面表示例を示す説明図である。
なお、図１に示す本発明の電子番組表表示装置を備えた衛星ディジタル放送受信装置として構成することも可能である。
１０はディジタル放送を受信するチューナ部、１１はチューナ部１０で受信されたディジタル放送の番組情報をデコードする番組情報デコード部、１２はディジタル放送の映像・音声情報をデコードする映像・音声デコード部、１３はディジタル放送の映像信号を表示する表示部、１４は番組情報デコード部１１でデコードされた番組情報を蓄積する番組情報蓄積部、１５は番組情報蓄積部１４から必要な番組情報を取出す制御部、１６は制御部１５で番組情報蓄積部１４から取出した番組情報を表示部１３の表示画面１３ａ上にＯＳＤ表示させるためのＯＳＤ表示データを作成するＯＳＤ作成部、１７は使用者が番組情報の表示要求を入力する入力部、１８は番組情報蓄積部１４，制御部１５，ＯＳＤ作成部１６を制御するマイコン部である。
【００３１】
電子番組表表示装置は、チューナ部１０と、番組情報デコード部１１と、映像・音声デコード部１２と、表示部１３と、番組情報蓄積部１４と、制御部１５と、ＯＳＤ作成部１６と、入力部１７と、マイコン部１８とから構成されている。
【００３２】
電子番組表表示装置において、チューナ部１０は、受信されたディジタル多チャンネル放送の信号を復調してベースバンドのビットストリーム信号を生成する。
【００３３】
チューナ部１０より出力されたビットストリーム信号は、番組情報デコード部１１に入力される。
【００３４】
番組情報デコード部１１は、複数の番組（映像・音声情報）や番組情報（番組付加情報）が多重化されているビットストリーム信号より、特定の映像・音声情報ストリームや特定の番組付加情報ストリームを分離する。
【００３５】
なお、有料番組であれば、一般的には、スクランブルがかかっているので、番組情報デコード部１１は、デスクランブル処理も行う。
【００３６】
番組情報デコード部１１より出力された映像・音声情報ストリームは、映像・音声デコード部１２に入力される。
【００３７】
また、番組情報デコード部１１より出力された番組付加情報ストリームは、番組情報蓄積部１４に入力され、番組情報が番組情報蓄積部１４に蓄積される。
【００３８】
映像・音声デコード部１２は、入力された映像・音声情報ストリームを処理して、表示フォーマットに応じた映像信号を生成する。
【００３９】
映像・音声デコード部１２から出力された映像信号は、表示部１３に供給される。
【００４０】
一方、入力部１７からユーザ（使用者）による指示で、番組情報の表示要求がマイコン部１８に入力されると、制御部１５は、番組情報蓄積部１４に蓄積された番組情報から電子番組表を表示するために必要なチャンネルデータを全て探し出し、そのチャンネルデータをＯＳＤ作成部１６に入力する。
【００４１】
また、制御部１５では、指定されたチャンネルの現在放送されている番組情報を番組情報蓄積部１４から取出し、同様にそのチャンネルデータをＯＳＤ作成部１６に入力する。
【００４２】
そして、ＯＳＤ作成部１６において、表示部１３に番組情報をＯＳＤ表示できるように処理して表示部１３に送出する。
【００４３】
図２は、本発明に係る実施形態の電子番組表表示装置による番組情報表示中の第１の画面表示例を示すものである。
表示部１３の表示画面１３ａは、第１の表示領域に番組情報としてチャンネル番号２００からチャンネル番号２４８までのチャンネル番号を一覧で並べて電子番組表２４を表示していることを表し、第２の表示領域にチャンネル番号２１８に関する各種の番組情報を表示していることを表している。
【００４４】
表示部１３の表示画面１３ａ上の第１の表示領域に表示された電子番組表２４上部の第２の表示領域の一部には、現在番組情報を表示しているチャンネルであるチャンネル番号２１８を表示するエリア２０がある。
エリア２０は、選択チャンネル表示部となる。
【００４５】
また、表示部１３の表示画面１３ａ上の第２の表示領域の一部には、エリア２０の横に選ばれているチャンネルの番組タイトル，放送月日，放送時間などの番組に関する詳細な情報を表示するエリア２１がある。
エリア２１は、番組情報表示部となる。
【００４６】
さらに、表示部１３の表示画面１３ａ上の第２の表示領域の一部には、エリア２０の下にそのチャンネルのロゴを表示するエリア２２がある。
エリア２２は、選択チャンネルロゴ表示部となる。
【００４７】
また、表示部１３の表示画面１３ａ上の第１の表示領域には、現在受信できるチャンネルの中から表示画面に表示できる分のチャンネル番号２００からチャンネル番号２４８までのチャンネルを一覧にした電子番組表２４を表示するエリア２３がある。
エリア２３は、チャンネル一覧表示部となる。
【００４８】
表示部１３の表示画面１３ａ上の第１の表示領域のエリア２３に表示された電子番組表２４の中には、現在番組情報を表示しているチャンネルを判別できるようにチャンネル番号２１８の囲い内部の色を変えて表示している。
【００４９】
使用者は、カーソルボタンなどを使用して入力部１７から表示チャンネルの変更要求を行なった時には、制御部１５で要求されたチャンネルの番組情報を番組情報蓄積部１４から検索し、そのチャンネルデータをＯＳＤ作成部１６に入力する。
【００５０】
ＯＳＤ作成部１６では、受け取ったチャンネルデータから新たに表示画面を構成しなおして表示部１３に送出する。
【００５１】
これにより、使用者は、チャンネルを選局する前に、現在放送されている番組を調べることができ、少ない操作で多くのチャンネルの番組情報を調べることができる。
【００５２】
次に、本実施形態における番組情報表示画面作成フローについて、図３を用いて説明する。
使用者などの指示により、電子番組表表示要求が発生すると（ステップＳ１３０）、表示する先頭チャンネルを検索する（ステップＳ１３１）。
【００５３】
そして、１画面中に並べるチャンネルの数を調査し、表示するチャンネル番号を番組情報蓄積部１４より抜き出す（ステップＳ１３２）。
【００５４】
次いで、ＯＳＤ作成部１６にて、該当チャンネルを縦横に並べて表示部１３の表示画面１３ａ上の第１の表示領域に表示する（ステップＳ１３３）。
【００５５】
次いで、番組情報を要求されたチャンネルにカーソルを置き、そのチャンネルのチャンネルやロゴを番組情報蓄積部１４より取出す（ステップＳ１３４）。
【００５６】
次いで、要求されたチャンネルの現在放送中の番組の情報を番組情報蓄積部１４より取出す（ステップＳ１３５）。
【００５７】
次いで、取出された現在放送中の番組の情報をＯＳＤ作成部１６にて、表示部１３の表示画面１３ａ上の第２の表示領域の所定の場所に表示する（ステップＳ１３６）。
【００５８】
その後は、使用者が表示しているチャンネルを切替えるなどの操作が行われるのを待ちつづけ（ステップＳ１３７）、番組情報表示チャンネルの変更指示があった時には、ステップＳ１３４に戻り、要求チャンネルの調査から再び処理が進められる。
即ち、番組情報蓄積部１４から必要な番組情報を取得して、図２，図４乃至図８に示すような番組情報の表示が表示部１３で表示できるように情報を処理加工する機能を奏するものであれば良いのである。
【００５９】
図４は、本発明に係る実施形態の電子番組表表示装置による番組情報表示中の第２の画面表示例を示すものである。
表示部１３の表示画面１３ａは、第１の表示領域に番組情報としてチャンネル番号２００からチャンネル番号２４０までのチャンネル番号を一覧で並べて電子番組表４５を表示していることを表し、第２の表示領域にチャンネル番号２１８に関する各種の番組情報を表示していることを表している。
【００６０】
表示部１３の表示画面１３ａ上の第１の表示領域に表示された電子番組表４５上部の第２の表示領域の一部には、現在番組情報を表示しているチャンネルであるチャンネル番号２１８を表示するエリア４０がある。
エリア４０は、選択チャンネル表示部となる。
【００６１】
また、表示部１３の表示画面１３ａ上の第２の表示領域の一部には、エリア４０の横に選ばれているチャンネルの番組タイトル，放送月日，放送時間などの番組に関する詳細な情報を表示するエリア４１がある。
エリア４１は、番組情報表示部となる。
【００６２】
さらに、表示部１３の表示画面１３ａ上の第２の表示領域の一部には、エリア４０の下にそのチャンネルのロゴを表示するエリア４２がある。
エリア４２は、選択チャンネルロゴ表示部となる。
【００６３】
また、表示部１３の表示画面１３ａ上の第１の表示領域には、現在受信できるチャンネルの中から表示画面に表示できる分のチャンネル番号２００からチャンネル番号２４０までのチャンネルを一覧にした電子番組表４５を表示するエリア４３がある。
エリア４３は、チャンネル一覧表示部となる。
【００６４】
表示部１３の表示画面１３ａ上の第１の表示領域のエリア４３に表示された電子番組表４５の中には、現在番組情報を表示しているチャンネルを判別できるようにチャンネル番号２１８の囲い内部の色を変えて表示している。
【００６５】
表示部１３の表示画面１３ａ上の第１の表示領域に表示された電子番組表４５下部の第３の表示領域には、現在放送している番組のジャンルに対応した色を表示するエリア４４がある。
エリア４４は、色分けインデックスとなる。
【００６６】
そして、チャンネル番号２００からチャンネル番号２４０までのチャンネル番号を一覧でエリア４３に表示している電子番組表４５のチャンネルの領域に対してそれぞれ現在放送している番組のジャンルに対応した色をエリア４４に提示した番組情報に基づいて付加している。
【００６７】
例えば、エリア４４において、映画に対応した色を付加されたチャンネル２０３，２１３，２２３，２２４，２３０，２３４，２３６においては、映画のジャンルに含まれる番組を放送していることを使用者に示している。
【００６８】
また、エリア４４において、スポーツに対応した色を付加されたチャンネル２０４，２０９，２１４，２１９，２２０，２３９においては、スポーツのジャンルに含まれる番組を放送していることを使用者に示している。
【００６９】
さらに、エリア４４において、その他に対応した色を付加されていないチャンネル２００，２０１，２０２，２０５，２０６，２０７，２０８，２１０，２１１，２１２，２１５，２１６，２１７，２２１，２２２，２２５，２２６，２２７，２２８，２２９，２３１，２３２，２３３，２３５，２３７，２４０においては、その他のジャンルに含まれる番組を放送していることを使用者に示している。
【００７０】
これにより、使用者は、この表示部１３の表示画面１３ａを見ただけで調べたい番組の行われている可能性があるチャンネルを容易に判別することができ、さらに、詳しい内容を調べる必要があるなどの時は、カーソルをそのチャンネルに持ってくることで調べることが可能になるため、無駄なチャンネルの情報を調べることなく、効率良く番組情報を調べることができる。
【００７１】
図５は、本発明に係る実施形態の電子番組表表示装置による番組情報表示中の第３の画面表示例を示すものである。
図５（ａ）は、図２における画面表示の番組情報を表示した第２の表示領域を抜き出したものであり、表示部１３の表示画面１３ａ上の第２の表示領域の一部には、チャンネル番号２１８を表示するエリア５０の横に選ばれているチャンネルの番組タイトル，放送月日，放送時間などの番組に関する詳細な情報を表示するエリア５１がある。
エリア５０は、選択チャンネル表示部となる。
また、エリア５１は、番組情報表示部となる。
【００７２】
その時、使用者から次の番組情報を表示するような指示が送られてきた時、図５（ｂ）に示すように、エリア５１で表示していた図５（ａ）に示す番組の次に放送される番組に関する詳細な情報を表示するように切替える。
そして、表示部１３の表示画面１３ａ上の第２の表示領域のエリア５１には、図５（ｂ）に示すように、現在の番組の次に放送される番組のチャンネルの番組タイトル，放送月日，放送時間などの番組に関する詳細な情報が表示される。
【００７３】
また、図５（ｂ）では、使用者から更に次の番組情報を表示するように指示が送られてきたら、図５（ｃ）に示すように、エリア５１で表示していた図５（ｂ）に示す番組の次に放送される番組に関する詳細な情報を表示するように切替える。
そして、表示部１３の表示画面１３ａ上の第２の表示領域のエリア５１には、図５（ｃ）に示すように、次の番組の更に次に放送される番組のチャンネルの番組タイトル，放送月日，放送時間などの番組に関する詳細な情報が表示される。
【００７４】
したがって、使用者から次の番組情報を表示するような指示が送られてきた時には、表示部１３の表示画面１３ａ上の第２の表示領域のエリア５１に表示される番組情報を、図５（ａ）に示す画面表示から図５（ｂ）に示す画面表示又は図５（ｃ）に示す画面表示に書き換えて表示させることができる。
また、使用者から前の番組情報を表示するような指示が送られてきた時には、表示部１３の表示画面１３ａ上の第２の表示領域のエリア５１に表示される番組情報を、図５（ｂ）に示す画面表示又は図５（ｃ）に示す画面表示から図５（ａ）に示す画面表示に戻すこともできる。
【００７５】
これにより、現在以降の番組についての番組情報を見ることができるため、現在の番組が終了時間間近であっても、次に放送される番組がわかり、また、そのチャンネルで続いてどのような番組が放送されるかを調べることができるため、使用者が少ない操作で複数のチャンネルでの放送予定を調べることができる。
【００７６】
図６は、本発明に係る実施形態の電子番組表表示装置による番組情報表示中の第４の画面表示例を示すものである。
表示部１３の表示画面１３ａは、第１の表示領域に番組情報としてチャンネル番号２００からチャンネル番号２４０までのチャンネル番号を一覧で並べて電子番組表６５を表示していることを表し、第２の表示領域にチャンネル番号２１８のＰＭ１２：００に行われる各種の番組情報を表示していることを表している。
【００７７】
表示部１３の表示画面１３ａ上の第１の表示領域に表示された電子番組表６５上部の第２の表示領域の一部には、現在番組情報を表示しているチャンネルであるチャンネル番号２１８を表示するエリア６０がある。
エリア６０は、選択チャンネル表示部となる。
【００７８】
また、表示部１３の表示画面１３ａ上の第２の表示領域の一部には、エリア６０の横に選ばれているチャンネルの番組タイトル，放送月日，放送時間などの番組に関する詳細な情報を示すエリア６１がある。
エリア６１は、番組情報表示部となる。
【００７９】
さらに、表示部１３の表示画面１３ａ上の第２の表示領域の一部には、エリア６０の下にそのチャンネルのロゴを表示するエリア６２がある。
エリア６２は、選択チャンネルロゴ表示部となる。
【００８０】
また、表示部１３の表示画面１３ａ上の第１の表示領域には、現在受信できるチャンネルの中から表示画面に表示できる分のチャンネル番号２００からチャンネル番号２４０までのチャンネルを一覧にした電子番組表６５を表示するエリア６３がある。
エリア６３は、チャンネル一覧表示部となる。
【００８１】
表示部１３の表示画面１３ａ上の第１の表示領域のエリア６３に表示された電子番組表６５の中には、現在番組情報を表示しているチャンネルを判別できるようにチャンネル番号２１８の囲い内部の色を変えて表示している。
【００８２】
表示部１３の表示画面１３ａ上の第１の表示領域に表示された電子番組表６５下部の第３の表示領域には、番組情報として時間による番組検索を行うための月日，１時間間隔の時刻を表示するエリア６４がある。
エリア６４は、選択時刻インデックスとなる。
【００８３】
また、表示部１３の表示画面１３ａ上の第３の表示領域のエリア６４に表示された時間による番組検索を行うためのエリア６４の中には、使用者の指示した時刻の部分の色を変えて表示している。
【００８４】
例えば、エリア６４において、ＰＭ１２：００の時刻の番組情報を表示していることを使用者に示している。
【００８５】
使用者は、現在表示している時間から、１時間後を表示するように指示することで、エリア６４の時刻表示領域を書き換え、エリア６１にある番組に関する詳細な情報をその時間に放送される番組に関する詳細な情報に書き換えて表示することができる。
【００８６】
また、この状態で使用者は、カーソルボタンなどを使用して入力部１７から表示チャンネルの変更要求を行なった時には、そのチャンネルの指示された時刻の番組情報を新たに表示しなおすことで、使用者の望むチャンネルのその時刻に放送される番組の情報を調べることができる。
【００８７】
図７は、本発明に係る実施形態の電子番組表表示装置による番組情報表示中の第５の画面表示例を示すものである。
表示部１３の表示画面１３ａは、第１の表示領域に番組情報としてチャンネル番号２００からチャンネル番号２３１までのチャンネル番号を一覧で並べて電子番組表７６を表示していることを表し、第２の表示領域にチャンネル番号２１８のＰＭ１２：００に行われる各種の番組情報を表示していることを表している。
【００８８】
表示部１３の表示画面１３ａ上の第１の表示領域に表示された電子番組表７６上部の第２の表示領域の一部には、現在番組情報を表示しているチャンネルであるチャンネル番号２１８を表示するエリア７０がある。
エリア７０は、選択チャンネル表示部となる。
【００８９】
また、表示部１３の表示画面１３ａ上の第２の表示領域の一部には、エリア７０の横に選ばれているチャンネルの番組タイトル，放送月日，放送時間などの番組に関する詳細な情報を表示するエリア７１がある。
エリア７１は、番組情報表示部となる。
【００９０】
さらに、表示部１３の表示画面１３ａ上の第２の表示領域の一部には、エリア７０の下にそのチャンネルのロゴを表示するエリア７２がある。
エリア７２は、選択チャンネルロゴ表示部となる。
【００９１】
また、表示部１３の表示画面１３ａ上の第１の表示領域には、現在受信できるチャンネルの中から表示画面に表示できる分のチャンネル番号２００からチャンネル番号２３１までのチャンネルを一覧にした電子番組表７６を表示するエリア７３がある。
エリア７３は、チャンネル一覧表示部となる。
【００９２】
表示部１３の表示画面１３ａ上の第１の表示領域のエリア７３に表示された電子番組表７６の中には、現在番組情報を表示しているチャンネルを判別できるようにチャンネル番号２１８の囲い内部の色を変えて表示している。
【００９３】
表示部１３の表示画面１３ａ上の第１の表示領域に表示された電子番組表７６下部の第３の表示領域には、図７に示すように、番組情報として時間による番組検索を行うための月日，１時間間隔の時刻を表示するエリア７４がある。
エリア７４は、選択時刻インデックスとなる。
【００９４】
また、表示部１３の表示画面１３ａ上の第３の表示領域には、エリア７４の下に現在放送している番組のジャンルに対応した色を表示するエリア７５がある。
エリア７５は、色分けインデックスとなる。
【００９５】
そして、チャンネル番号２００からチャンネル番号２３１までのチャンネル番号を一覧でエリア７３に表示している電子番組表７６のチャンネルの領域に対してそれぞれその時刻に放送している番組のジャンルに対応した色をエリア７５に提示した番組情報に基づいて付加している。
【００９６】
さらに、表示部１３の表示画面１３ａ上の第３の表示領域のエリア７４に表示された時間による番組検索を行うためのエリア７４の中には、使用者の指示した時刻の部分の色を変えて表示している。
【００９７】
これは、図４で説明したジャンルなどの情報をチャンネルに付加するものを、図７に示す実施形態に適応して、現在ではなく使用者の望む時刻（エリア７４に表示）にそれぞれのチャンネルで放送される番組のジャンルをエリア７５の色分けに応じてエリア７３の電子番組表７６のチャンネル領域の色を変えて表示している。
【００９８】
例えば、図７では、エリア７３において、映画に対応した色を付加されたチャンネル２１２，２１４，２２９においては、ＰＭ１２：００には映画のジャンルに含まれる番組の放送が予定されていることがわかる。
【００９９】
また、エリア７３において、スポーツに対応した色を付加されたチャンネル２０３，２２５，２２８においては、ＰＭ１２：００にはスポーツのジャンルに含まれる番組の放送が予定されていることがわかる。
【０１００】
さらに、エリア７３において、その他に対応した色を付加されていないチャンネル２００，２０１，２０２，２０４，２０５，２０６，２０７，２０８，２０９，２１０，２１１，２１３，２１５，２１６，２１７，２１９，２２０，２２１，２２２，２２３，２２４，２２６，２２７，２３０，２３１においては、ＰＭ１２：００にはその他のジャンルに含まれる番組の放送が予定されていることがわかる。
【０１０１】
これにより、使用者は、望む時刻にどのようなジャンルの番組が放送されるかが直感的に分かり、詳しい情報を望む場合には、カーソルをそのチャンネルに合わせることで、番組情報を見ることができるため、多くのチャンネルから未来の番組であってもすばやく使用者の望むジャンルの番組を探し出して調べることができる。
【０１０２】
図８は、本発明に係る実施形態の電子番組表表示装置による番組情報表示中の第６の画面表示例を示すものである。
表示部１３の表示画面１３ａは、第１の表示領域に番組情報としてチャンネル番号２００からチャンネル番号２４０までのチャンネル番号を一覧で並べて電子番組表８６を表示していることを表し、第２の表示領域にチャンネル番号２１８で行われる各種の番組情報を表示していることを表している。
【０１０３】
また、表示部１３の表示画面１３ａは、第２の表示領域に番組情報として、チャンネル番号２１８においてＡＭ１１：００からＰＭ２：００の間に放送される番組を一覧で時系列に並べてそのチャンネルのみの番組表８７を表示していることを表している。
【０１０４】
表示部１３の表示画面１３ａ上の第１の表示領域に表示された電子番組表８６上部の第２の表示領域の一部には、現在番組情報を表示しているチャンネルであるチャンネル番号２１８を表示するエリア８０がある。
エリア８０は、選択チャンネル表示部となる。
【０１０５】
また、表示部１３の表示画面１３ａ上の第２の表示領域の一部には、エリア８０の横に選ばれているチャンネルの番組タイトル，放送月日，放送時間などの番組に関する詳細な情報を表示するエリア８１がある。
エリア８１は、番組情報表示部となる。
【０１０６】
さらに、表示部１３の表示画面１３ａ上の第２の表示領域の一部には、エリア８０の下にそのチャンネルのロゴを表示するエリア８２がある。
エリア８２は、選択チャンネルロゴ表示部となる。
【０１０７】
また、表示部１３の表示画面１３ａ上の第１の表示領域には、現在受信できるチャンネルの中から表示画面に表示できる分のチャンネル番号２００からチャンネル番号２４０までのチャンネルを一覧にした電子番組表８６を表示するエリア８５がある。
エリア８５は、チャンネル一覧表示部となる。
【０１０８】
表示部１３の表示画面１３ａ上の第１の表示領域のエリア８５に表示された電子番組表８６の中には、現在番組情報を表示しているチャンネルを判別できるようにチャンネル番号２１８の囲い内部の色を変えて表示している。
【０１０９】
また、表示部１３の表示画面１３ａ上の第２の表示領域の一部には、エリア８２の下に時系列に番組を並べて表示している範囲の日時を表示するエリア８３がある。
エリア８３は、番組一覧表示時刻インデックスとなる。
【０１１０】
さらに、表示部１３の表示画面１３ａ上の第２の表示領域の一部には、エリア８１の下に実際に放送する番組を時系列に並べてそれぞれの番組の放送時間に応じたサイズでそのチャンネルのみの番組表８７を表示するエリア８４がある。
エリア８４は、番組一覧表示部となる。
【０１１１】
表示部１３の表示画面１３ａ上の第２の表示領域のエリア８４に表示された番組表８７の中には、選ばれているチャンネルの番組を判別できるように番組タイトルの部分の色を変えて表示している。
【０１１２】
これにより、選択しているチャンネルの放送予定が直感的に判別することができ、さらに、選択チャンネルをカーソル移動などで切替えることにより、他のチャンネルの放送予定を調べることも容易に行うことができる。
【０１１３】
上記にて説明された本発明により、以下の効果がもたらされる。
本発明に係る電子番組表表示装置によれば、少ないカーソル移動で使用者の望むチャンネルにおいて、どのような番組が現在放送されているかを提示することにより、効率の良いチャンネル選択を行うことが可能となる。
【０１１４】
本発明に係る電子番組表表示装置によれば、直接カーソルをそのチャンネルまで移動することなく、どのようなジャンルの番組が現在放送されているのかが一覧でわかるため、効率の良いチャンネル選択をすることが可能となる。
【０１１５】
本発明に係る電子番組表表示装置によれば、現在以降の番組についての情報を見ることができるため、現在の番組が終了時間間近であっても次に放送される番組がわかり、また、そのチャンネルで続いてどのような番組が放送されるかを調べることができるため、少ない操作で複数のチャンネルでの放送予定を調べることを容易にすることが可能となる。
【０１１６】
本発明に係る電子番組表表示装置によれば、使用者の確認したい時刻におけるそのチャンネルの放送内容が確認でき、他のチャンネルを確認する場面においても、使用者がチャンネルを移動させるだけで、同様にその時刻での放送内容が表示されるため、純粋に確認したい時刻に放送される番組についての情報を調べることを容易にすることが可能となる。
【０１１７】
本発明に係る電子番組表表示装置によれば、使用者の確認したい時刻へ移動した時に前記のジャンルなどによる色分けをその時刻に放送される番組に対して行うことで、どのような番組が放送されるかを一覧で調べることが可能になるため、いちいちそのチャンネルにカーソルを移動させなくても直感的にどのような番組が行われているかを調べることを容易にすることが可能となる。
【０１１８】
本発明に係る電子番組表表示装置によれば、使用者の確認したいチャンネルのみの放送予定が一覧できるため、複数のチャンネルについての放送予定を調べる時に、少ない手順で番組の放送予定を調べることが可能となる。
【０１１９】
【発明の効果】
本発明によれば、受信可能な複数のチャンネルを表示手段の表示画面上の第１の表示領域に一覧で縦横に並べて表示させることにより、目的のチャンネルまで容易に移動でき、使用者が簡単な操作により、迅速に希望の番組を探し出すために、多くのチャンネルから希望の番組情報を効率的に表示手段の表示画面上の第２の表示領域に表示させることができ、使用者の望むチャンネルでどのような番組が放送されるのかを表示することで、効率の良い番組選択及び調査を行うことが可能な電子番組表表示装置及びディジタル放送受信装置を得ることができる。
【図面の簡単な説明】
【図１】本発明に係る一実施形態の電子番組表表示装置の構成を示す機能ブロック図。
【図２】本発明に係る実施形態の電子番組表表示装置による番組情報の第１の画面表示例を示す説明図。
【図３】本発明に係る実施形態の電子番組表表示装置による番組情報の画面表示における動作態様を説明するフローチャート。
【図４】本発明に係る実施形態の電子番組表表示装置による番組情報の第２の画面表示例を示す説明図。
【図５】本発明に係る実施形態の電子番組表表示装置による番組情報の第３の画面表示例を示す説明図。
【図６】本発明に係る実施形態の電子番組表表示装置による番組情報の第４の画面表示例を示す説明図。
【図７】本発明に係る実施形態の電子番組表表示装置による番組情報の第５の画面表示例を示す説明図。
【図８】本発明に係る実施形態の電子番組表表示装置による番組情報の第６の画面表示例を示す説明図。
【符号の説明】
１０  チューナ部（ディジタル放送受信手段）
１１  番組情報デコード部（番組情報デコード手段）
１２  映像・音声デコード部（映像・音声デコード手段）
１３  表示部（表示手段）
１３ａ  表示画面
１４  番組情報蓄積部（番組情報蓄積手段）
１５  制御部（制御手段）
１６  ＯＳＤ作成部（識別表示情報付加手段）
１７  入力部（外部入力手段）
１８  マイコン部
２０  エリア（第２の表示領域）
２１  エリア（第２の表示領域）
２２  エリア（第２の表示領域）
２３  エリア（第１の表示領域）
２４  電子番組表
４０  エリア（第２の表示領域）
４１  エリア（第２の表示領域）
４２  エリア（第２の表示領域）
４３  エリア（第１の表示領域）
４４  エリア（第３の表示領域）
４５  電子番組表
５０  エリア（第２の表示領域）
５１  エリア（第２の表示領域）
６０  エリア（第２の表示領域）
６１  エリア（第２の表示領域）
６２  エリア（第２の表示領域）
６３  エリア（第１の表示領域）
６４  エリア（第３の表示領域）
６５  電子番組表
７０  エリア（第２の表示領域）
７１  エリア（第２の表示領域）
７２  エリア（第２の表示領域）
７３  エリア（第１の表示領域）
７４  エリア（第３の表示領域）
７５  エリア（第３の表示領域）
７６  電子番組表
８０  エリア（第２の表示領域）
８１  エリア（第２の表示領域）
８２  エリア（第２の表示領域）
８３  エリア（第２の表示領域）
８４  エリア（第２の表示領域）
８５  エリア（第１の表示領域）
８６  電子番組表
８７  番組表
【図１】
2004363885.tif 000003
【図２】
2004363885.tif 000004
【図３】
2004363885.tif 000005
【図４】
2004363885.tif 000006
【図５】
2004363885.tif 000007
【図６】
2004363885.tif 000008
【図７】
2004363885.tif 000009
【図８】
2004363885.tif 000010